(57)【要約】【課題】遊技球の進退動型電動部材への受け入れられる機会を多くして、遊技の興趣を高めるようにしたパチンコ遊技機のセンター役物を提供することを目的とする。【解決手段】球入口１４ａ，１４ｂに装着される可動羽根１５ａ，１５ｂと、遊技球を後方へ流下させ後端縁と後側正面壁５０ａの装飾体５１との間の間隔５３から落下させる傾斜棚５２を配置した遊技室５０と、装飾体５１に設けられ前方へ繰り返し進出して傾斜棚５２の後端縁から落下する遊技球を受け入れることができる進退動型電動部材５８と、傾斜棚５２上面を後方へ転動する遊技球を前方へ押し返す押出し部材７１とを備え、押出し部材７１はその前端に、前面が装飾体５１側に傾きかつ前進したとき傾斜棚５２の後端縁に接近する当て片７５を有し、押出し部材７１は、進退動型電動部材５８の前進運動のタイミングに合わせそれに先立って前進運動を始めるようにした。【選択図】図１３
2009066235.tif 000002
【特許請求の範囲】
【請求項１】
遊技盤面を流下する遊技球を受け入れる球入口と、
前記球入口に装着され起立または傾倒することにより遊技球の受け入れを阻止または可能にする可動羽根と、
後側正面壁に装飾体が配置され、後方へ下傾し後端縁が前記装飾体と遊技球の落下し得る間隔を離して相対する傾斜棚が横断状に配置される遊技室と、
前記装飾体に設けられ電動アクチュエータにより前後方向に進退動して前記傾斜棚の後端縁から落下する遊技球を受け入れることができるポケット形の進退動型電動部材と、
前記遊技室の床面の前端縁に形成される特別入賞口及び該特別入賞口の側方に位置する普通入賞口と、を備えたパチンコ遊技機のセンター役物であって、
前記装飾体の両側に位置して前記遊技室の後側正面壁に、電動アクチュエータにより前後方向へ進退動して前記傾斜棚上面を後方へ転動する遊技球を前方へ押し返す押出し部材を配置し、前記各押出し部材はその前端に、前記傾斜棚の後端縁と対向すると共に前面が前記装飾体側に傾きかつ前進したとき該後端縁に接近する当て片を有し、
前記押出し部材は、前記進退動型電動部材の前進運動のタイミングに合わせそれに先立って前進運動を始めるようにその動作を制御したことを特徴とするパチンコ遊技機のセンター役物。
【請求項２】
前記可動羽根が傾倒したとき、前記進退動型電動部材と前記押出し部材とが前進運動を複数回ずつ２度連続して繰り返し、かつ、前記進退動型電動部材及び該進退動型電動部材とタイミングの合った前記押出し部材の前進運動の回数を、１度目の前進運動間よりも２度目の前進運動間の方が多くなるように制御した請求項１記載のパチンコ遊技機のセンター役物。
【請求項３】
前記球入口に該球入口に受け入れられた遊技球を検出する球検出スイッチを配置し、前記進退動型電動部材及び前記押出し部材の前進運動の回数を、前記可動羽根の傾倒に伴い前記球入口に受け入れられた遊技球が球検出スイッチにより検出されたときよりも、前記球検出スイッチにより検出されなかったときの方が少なくなるように制御した請求項２記載のパチンコ遊技機のセンター役物。
【発明の詳細な説明】
【技術分野】
【０００１】
本発明は、遊技盤面の特定の入賞口に遊技球が入賞して特定の条件を満たしたときに、遊技者に有利な特別遊技状態を発生させるようにしたパチンコ遊技機のセンター役物に関するものである。
【背景技術】
【０００２】
従来、この種のセンター役物として、本出願人は次に説明するような出願をした。すなわち、このセンター役物は、遊技盤面に取着される取付基板の前面の上部両側に、遊技盤面を流下する遊技球を受け入れる球入口が設けられる。そして、該各球入口に、常には起立して遊技球の受け入れを阻止しかつ遊技盤面の特定入賞口に遊技球が入賞したとき傾倒して遊技球の受け入れを可能にする可動羽根が装着され、また、各球入口に受け入れられた遊技球を検出する球検出スイッチが設けられる。更に、取付基板における両可動羽根の下方に窓開口が開設され該取付基板の後側に該窓開口と連通する遊技室が形成される。該遊技室には、その後側正面壁に前後方向に繰り返し進退動するポケット形の進退動型電動部材を備えた装飾体が配置されると共に、後方へ下傾しかつ後端縁が前記装飾体と遊技球の落下し得る間隔を離して相対する傾斜棚が横断状に配置される。遊技室の床面は前方へ下傾されると共に該床面の前端縁に特別入賞口と該特別入賞口の側方に位置する普通入賞口とが形成され、遊技室に流入し傾斜棚の上面を後方へ転動する遊技球を、前記間隔から落下させ、または前方へ複数回突出する進退動型電動部材に受け入れさせて床面に導き、特別入賞口または普通入賞口に入賞させるようにしている。そこで、特別入賞口に遊技球が入賞すると、一度に多くの賞球が得られる遊技者にとって有利な特別遊技状態になる（例えば、特許文献１参照。）。
【０００３】
【特許文献１】特開２００５−３４５０１号公報（第３−５頁、図１乃至図４）
【発明の開示】
【発明が解決しようとする課題】
【０００４】
前記特許文献１のセンター役物にあっては、球入口に遊技球が受け入れられると該遊技球は遊技室に導かれて傾斜棚を後方へ転動するが、この際、装飾体に設けられた進退動型電動部材が前進運動を所定回数繰り返し、前記遊技球がその中にタイミング良く受け入れられるチャンスが与えられる。ところで、前記進退動型電動部材は、球入口に受け入れられた遊技球が球検出スイッチによって検出されることにより、前進動作を所定回数繰り返す。例えば、可動羽根が１回または連続して２回傾倒したとき、前記球入口に受けられる遊技球を前記球検出スイッチによって検出することにより、前記進退動型電動部材が前進運動を同じ回数ずつ２度連続して繰り返し、しかも、進退動型電動部材の進出運動時間は短い。このため、傾斜棚を後方へ転動する遊技球が、タイミングよく進退動型電動部材に受け入れられる機会はかなり低く、遊技に面白みを持たせるという面で物足りなさが有り、遊技の興趣を高めるに一工夫必要であるという改良すべき点があった。
【０００５】
そこで、本発明は上記課題に鑑みてなされたもので、装飾体の両側に前面が該装飾体側に傾く当て片を有しかつ進退動型電動部材のタイミングに合わせそれに先立って前進運動を始める押出し部材を配置し、これにより、傾斜棚を後方へ転動する遊技球の進退動型電動部材への受け入れられる機会を多くして、その期待感を高め面白みを増し、遊技の興趣を高めるようにしたパチンコ遊技機のセンター役物を提供することを目的とするものである。
【課題を解決するための手段】
【０００６】
本発明に係るパチンコ遊技機のセンター役物は、遊技盤面を流下する遊技球を受け入れる球入口と、前記球入口に装着され起立または傾倒することにより遊技球の受け入れを阻止または可能にする可動羽根と、後側正面壁に装飾体が配置され、後方へ下傾し後端縁が前記装飾体と遊技球の落下し得る間隔を離して相対する傾斜棚が横断状に配置される遊技室と、前記装飾体に設けられ電動アクチュエータにより前後方向に進退動して前記傾斜棚の後端縁から落下する遊技球を受け入れることができるポケット形の進退動型電動部材と、前記遊技室の床面の前端縁に形成される特別入賞口及び該特別入賞口の側方に位置する普通入賞口と、を備えたパチンコ遊技機のセンター役物であって、前記装飾体の両側に位置して前記遊技室の後側正面壁に、電動アクチュエータにより前後方向へ進退動して前記傾斜棚上面を後方へ転動する遊技球を前方へ押し返す押出し部材を配置し、前記各押出し部材はその前端に、前記傾斜棚の後端縁と対向すると共に前面が前記装飾体側に傾きかつ前進したとき該後端縁に接近する当て片を有し、前記押出し部材は、前記進退動型電動部材の前進運動のタイミングに合わせそれに先立って前進運動を始めるようにその動作を制御したことを特徴とする。
【０００７】
また、この際、前記可動羽根が傾倒したとき、前記進退動型電動部材と前記押出し部材とが前進運動を複数回ずつ２度連続して繰り返し、かつ、前記進退動型電動部材及び該進退動型電動部材とタイミングの合った前記押出し部材の前進運動の回数を、１度目の前進運動間よりも２度目の前進運動間の方が多くなるように制御することが好ましい。
【０００８】
更に、前記球入口に該球入口に受け入れられた遊技球を検出する球検出スイッチを配置し、前記進退動型電動部材及び前記押出し部材の前進運動の回数を、前記可動羽根の傾倒に伴い前記球入口に受け入れられた遊技球が球検出スイッチにより検出されたときよりも、前記球検出スイッチにより検出されなかったときの方が少なくなるように制御することが好ましい。
【発明の効果】
【０００９】
請求項１に係るパチンコ遊技機のセンター役物は、装飾体の両側に前面が該装飾体側に傾く当て片を有しかつ進退動型電動部材のタイミングに合わせそれに先立って前進運動を始める押出し部材を配置することにより、傾斜棚を後方へ転動する遊技球の進退動型電動部材への受け入れられる機会が多くなり、その分期待感が高まり面白みが増す。このようにして、遊技の興趣が高められるという効果を有する。
【００１０】
請求項２に係るパチンコ遊技機のセンター役物は、進退動型電動部材と押出し部材とが前進運動を複数回ずつ２度連続して繰り返し、かつ、進退動型電動部材及び該進退動型電動部材とタイミングの合った押出し部材の前進運動の回数を、１度目の前進運動間よりも２度目の前進運動間の方が多くなるように制御すれば、遊技に変化が持たせられスリルも味わえるという効果がある。
【００１１】
また、請求項３に係るパチンコ遊技機のセンター役物は、球入口に球検出スイッチを配置し、進退動型電動部材及び押出し部材の前進運動の回数を、可動羽根の傾倒に伴い遊技球が球検出スイッチにより検出されたときよりも、球検出スイッチにより検出されなかったときの方が少なくなるようにすれば、その分無駄がなくなる。しかも、これら進退動型電動部材及び押出し部材の次の動作に速やかに移行でき遊技進行上好適であるという効果がある。
【発明を実施するための最良の形態】
【００１２】
次に、本発明に係るパチンコ遊技機のセンター役物の実施の形態を図面に基づき説明する。図１は、本発明が適用されるパチンコ遊技機の遊技盤の正面図を示す。該遊技盤１は、打球発射装置（図示せず）から発射された遊技球を誘導するため前面に環状の外レール２と内レール３が設けられ、その内側の遊技領域の中央に本発明に係るセンター役物４が配設される。５ａ，５ｂは遊技球が流下する遊技盤１の左側領域上部と右側領域上部に夫々設けられた普通入賞口、６ａ，６ｂはその下方に夫々設けられた普通入賞口である。７ａ，７ｂは遊技盤１の左側領域下部と右側領域下部に夫々設けられた始動入賞口、８はセンター役物４の直下方に設けられ一対の翼片９，９が開閉動するように構成された所謂チューリップ型の電動開閉始動入賞口である。該電動開閉始動入賞口８は、その上方に遊技球が通過することにより電気的に検出される通過ゲート８ａが一体に設けられている。なお、１０は遊技領域の下端部に設けられたアウト球排出口、１１ａ，１１ｂは内レール３の内側縁に設けられたランプ付き装飾体である。
【００１３】
センター役物４は、図２、図３に拡大して示すように、遊技盤１面に取着される取付基板１２前面の中央上部に紋型装飾体１３が形成され、該紋型装飾体１３の両側に球入口１４ａ，１４ｂが形成される。該球入口１４ａ，１４ｂに、可動羽根１５ａ，１５ｂが回動自在に軸支される。該可動羽根１５ａ，１５ｂは、図４（イ）（ロ）に示すように、支軸１６ａ，１６ｂの先端に固設され、該支軸１６ａ，１６ｂの後端部にクランク１７ａ，１７ｂが固設されている。１８ａ，１８ｂは該センター役物４の内部に鉛直に固設された電動アクチュエータ（ソレノイド）、１９ａ，１９ｂは該電動アクチュエータ１８ａ，１８ｂのプランジャに固着された作動片である。２０ａ，２０ｂは、その軸受部２１ａ，２１ｂを軸支することにより傾動自在に支持された傾動片である。該傾動片２０ａ，２０ｂに突設されたピン２２ａ，２２ｂを該作動片１９ａ，１９ｂに形成された横長孔２３ａ，２３ｂに遊嵌すると共に、クランク１７ａ，１７ｂの先端に突設されたピン２４ａ，２４ｂを該傾動片２０ａ，２０ｂに形成された長孔２５ａ，２５ｂに遊嵌する。
【００１４】
前記電動アクチュエータ１８ａ，１８ｂが励磁され作動片１９ａ，１９ｂが上動すると、傾動片２０ａ，２０ｂが上傾し、図４（ロ）に示すように支軸１６ａ，１６ｂを矢視方向へ回転させ、可動羽根１５ａ，１５ｂが図４（イ）の起立状から外傾状に変動する。これに伴い図２鎖線に示すように球入口１４ａ，１４ｂが開成され、遊技球が該球入口１４ａ，１４ｂからセンター役物４内に流入し得るようになる。２６は、センター役物４内であって球入口１４ａ，１４ｂの内側に山形に形成された球遊動通路である。２７ａ，２７ｂは該球入口１４ａ，１４ｂからセンター役物４内に流入した遊技球を検出するために該球遊動通路２６の両端部に設けられた球検出スイッチで、遊技球は該球検出スイッチ２７ａ，２７ｂの環状孔からその下段に形成された凹面状通路２８に落下する。
【００１５】
また、図２に示すように、凹面状通路２８の後側壁中央部に遊技球が横に３個並んで通過できる程度の幅を有する窓孔２９が形成され、該窓孔２９の後側に球停留装置３０が設けられる。図５（イ）（ロ）に示すように、該球停留装置３０は、上端部で軸着され前後に自在に揺動する振分部材３１と、センター役物４の内部中央に鉛直に固設された電動アクチュエータ（ソレノイド）３２と、該電動アクチュエータ３２のプランジャに固着され振分部材３１と連係する規制部材３３と、からなる。振分部材３１は、下端に後記する球落口３８の上面を開閉する蓋片３１ａが設けられ、軸支部から後方へ突出する腕片３４の先端にピン３４ａが設けられる。一方、規制部材３３は、その上端に前方へ突出する可動片３５が設けられ、該可動片３５先端の二股部３６に前記腕片３４のピン３４ａが係合している。また、規制部材３３の下端は、前方へ屈曲して球止片３７が設けられる。該球止片３７の前端部は、球落口３８の下方に位置する。そして、規制部材３３が上昇したとき、球止片３７が球落口３８の真下に位置してその下面を閉じ、該球止片３７に入った遊技球を下から支持するようにしている。また、この状態で、規制部材３３が下降すると、球落口３８の下面が開かれ前記遊技球は支持を失い落下することになる。
【００１６】
前記球停留装置３０における振分部材３１の下方には、該振分部材３１の揺動動作により遊技球を受け入れられるように開閉する球落口３８が設けられ、該球落口３８に球検出スイッチ３９（図５では省略。）の環状孔が合致している。球落口３８は、左右両サイドへ伸びるワープ通路４０ａ，４０ｂの分岐点に当たる底壁に開設される。これらワープ通路４０ａ，４０ｂは両側で下方へ屈曲し、その下端に後記する傾斜棚５２の両側上面に位置する球出口４１ａ，４１ｂが設けられる。これらワープ通路４０ａ，４０ｂにより囲まれる部位は、その後側に位置するディスプレイ４８を遊技者が前側から視認可能なように、遊技球の直径寸法よりも少し広い幅を離して平行な前後一対の透明樹脂板が張設された透光領域４２としている。
【００１７】
前記透光領域４２の透明樹脂板間に、球落口３８の下方に位置して該球落口３８から落下する遊技球を下方へ導く中央縦通路４３が形成される。該中央縦通路４３には、その途中に通路の内側へ突出し落下する遊技球を一時的に受け止める第一球受片４４ａとその下方に位置する第二球受片４４ｂとが設けられる。これら第一・第二球受片４４ａ，４４ｂは、互いに位置を違えて設けられかつそれら上面が中央縦通路４３の中央寄りへ下傾し、その上面に遊技球が乗っても停止できずに落下するようになっている。更に、第二球受片４４ｂの下方に上面が弧状に窪み、遊技球を排出する下端放出口４３ａが球転動通路４５の長手方向に沿っていずれか側方、この場合は図２において右側、を向いた第三球受片４４ｃが設けられる。
【００１８】
そして、両透明樹脂板間の下部に、中央縦通路４３の下端から落下する遊技球を受け入れる球転動通路４５が設けられる。該球転動通路４５は、底壁上面が前記中央縦通路４３の真下位置である中央部で一番低くなっており、その両側が中央部に向かって緩やかに下傾している。また、中央縦通路４３の中央部の後側壁に、遊技球を傾斜棚５２の左右幅方向のほぼ中央部に落下させる球送り口４６が開設される。
【００１９】
前記球停留装置３０の電動アクチュエータ３２が消磁しているときは、図５（イ）に示すようにそのプランジャが下方へ突出して規制部材３３が下降位置に停止し、振分部材３１が前方へ揺動して突出し球落口３８の上面を塞いでいる。よって、この状態で凹面状通路２８から窓孔２９を介して導かれた遊技球は、振分部材３１により左右いずれかに振り分けられ、ワープ通路４０ａ，４０ｂ内を流れると共にその下端の球出口４１ａ，４１ｂから排出されて傾斜棚５２の上面に落下する。また、この状態では、該規制部材３３下端の球止片３７が中央縦通路４３の後側壁に開設された縦溝４７を介してその中央縦通路４３内に介入し、第一球受片４４ａの近傍に達しており、その第一球受片４４ａ上面に乗る遊技球を支えてそれより下方へ落下させないようにしている。
【００２０】
これに対し、電動アクチュエータ３２が励磁すると、図５（ロ）に示すようにそのプランジャが上方へ収縮して規制部材３３が上昇位置に停止し、同時に振分部材３１が後方へ揺動して球落口３８の上面を遊技球が入り得るように開放する。よって、この状態で凹面状通路２８から窓孔２９を介して後方へ導かれた遊技球は、球落口３８に入り易い。該球落口３８に入った遊技球は、その下面を規制部材３３下端の球止片３７により支持され、電動アクチュエータ３２が消磁して規制部材３３が下がらない限り中央縦通路４３に落下しないようになっている。また、その後に窓孔２９から入る遊技球は、球落口３８に保留される遊技球によって振り分けられ、ワープ通路４０ａ，４０ｂのいずれかに流入する。
【００２１】
この状態で、電動アクチュエータ３２が消磁すると、規制部材３３が下降し該規制部材３３によって球落口３８に保留されていた遊技球が第一球受片４４ａの上面に落下する。また、同時に振分部材３１が前方へ突出して球落口３８の上面を塞ぐ。このとき、前記遊技球は、規制部材３３に支持され第一球受片４４ａの上面に保持される。そして、電動アクチュエータ３２が再び励磁すると、規制部材３３が上昇すると共に振分部材３１が後退して球落口３８の上面を開放する。同時に、第一球受片４４ａの上面に乗っていた遊技球が規制部材３３から開放され、第二球受片４４ｂの上面に一時的に乗りつつ更にその下方の第三球受片４４ｃ上面に乗り、図６（イ）に示すようにその下端放出口４３ａから球転動通路４５の底壁上面に落下する。
【００２２】
第三球受片４４ｃの下端放出口４３ａは図２のように球転動通路４５を正面から見て右側を向いているので、そこから排出される遊技球は勢いがつき易い。そこで、該球転動通路４５の底壁上面が中央部に向かって緩やかに下傾していることから、前記遊技球は図６（イ）鎖線に示すようにその中央部を中心として左右両サイドへ減衰しながら往復運動する。そして、該遊技球は最終的に中央部に寄り、球送り口４６を介して傾斜棚５２上面の中央に落下する。球送り口４６の中央縦通路４３に沿った両側縁部は、その前面が図６（ロ）に示すように前方へ突出し、両突出部から始まる両側前面が、それぞれ球転動通路４５に沿って外側へ向かうに従い漸次後方へ傾くテーパー面４５ａに形成されている。
【００２３】
これにより、球転動通路４５を球送り口４６を中心として左右に往復運動する遊技球は、球送り口４６に近づくにつれテーパー面４５ａに接触して球送り口４６から離されるように誘導される。よって、例えば、該遊技球が球送り口４６の両内側縁に当たって停止し、そこで往復運動の止まってしまうことがなくなり、遊技者はその遊技球の動きを長く楽しむことができる。
【００２４】
センター役物４内の球転動通路４５の下方に、取付基板１２に開設された窓開口４９と連通するようにして前側から内部が視認できる遊技室５０が形成されている。図７に示すように該遊技室５０には、その後側正面壁５０ａの中央に装飾体としての人形５１が突出状に設けられる。また、遊技室５０内の中間高さ位置に、横断状に配置され後方へ向けて緩やかに下傾する傾斜棚５２が設けられる。該傾斜棚５２の後端縁は、遊技球が落下し得る間隔５３を離して人形５１と相対している。該遊技室５０の床面５４は緩やかな前傾状に形成され、その前端縁中央に特別入賞口５５が設けられ、該特別入賞口５５の両側にそれぞれやや広めの普通入賞口５６，５６が形成される。該特別入賞口５５には、球検出スイッチ５７が配設される。普通入賞口５６，５６にあっては、その下流側に図示しない球検出スイッチが配設される。
【００２５】
図８に示すように前記人形５１の腹部に、繰り返し前方に進出可能に設けられたポケット形の進退動型電動部材５８が装着される。該進退動型電動部材５８は、水平に配置されると共に前端に上面が開口したポケット部５８ａが設けられる。後側正面壁５０ａの後側に、進退動型電動部材５８に連結され該進退動型電動部材５８を動作させるための電動アクチュエータ（ソレノイド）５９が水平に配置される。また、人形５１の後側に相当する後側正面壁５０ａの裏側に遊技球が通過し得る通路６０が形成され、該通路６０は人形５１の股下部に開設された放出口６１に連通している。６２は床面５４の下側に配置され、電動アクチュエータ（ソレノイド）６３の作動により枢支部６４を支点として鉛直面内で上下に傾動するように支持された停留レバーである。そして、その上・下方向への傾動により該停留レバー６２の先端６２ａが放出口６１と相対するように床面５４より出没し、放出口６１から放出する遊技球を該停留レバー６２により一時停留するようになっている。また、放出口６１の両側であって後側正面壁５０ａに、前記通路６０と連通するサブ放出口６５が開設される。
【００２６】
図２、図７に示すように、人形５１の両側で傾斜棚５２の両サイド奥部にそれぞれ半球殻状の回転型電動部材６６が設けられる。図９に示した回転型電動部材６６は、図２のようにセンター役物４を正面から見て右側に配置されるものであるが、左側に配置される回転型電動部材６６は右側に配置されるものと同じ構成からなるので図示は省略する。該回転型電動部材６６はその球面が前方を向き回転軸６７により支持され、該回転軸６７の後端に減速機付モータ６８が連繋される。回転型電動部材６６には、その前面に等間隔に遊技球が通過できる透孔６９が形成される。また、回転軸６７に該回転軸６７に対して直角となるように回転円板８１が固着され、該回転円板８１の外周縁部に回転軸６７を中心とする放射線状にかつ等間隔に複数のスリット８２が設けられる。回転円板８１の一側に、該回転円板８１の外周縁部を前側と後側から挟むようにして投光器と受光器とを備えた検出器８３が配設される。
【００２７】
回転型電動部材６６は、減速機付モータ６８の駆動により図９矢印の方向、すなわちセンター役物４を正面から見て時計回り方向へ常時回転している。回転中の回転型電動部材６６は、前記スリット８２を検出器８３で検出することにより停止できるが、常に同じ位置で停止させている。このように、回転型電動部材６６を常に同じ位置で停止させるのは、センター役物４内に入った遊技球の特別入賞口５５へ入賞する入賞確率にばらつきがないようにしてその均一化を図るためである。一方、前記左側に配置された回転型電動部材６６は、図２のようにセンター役物４を正面から見て反時計回り方向へ回転している。そして、傾斜棚５２上面に落下した遊技球は、前記間隔５３から床面５４に落下するほか、該回転型電動部材６６の透孔６９から一旦その内側に入り、また、いずれかの透孔６９からその下方の曲面棚７０を介して床面５４に落下する。
【００２８】
更に、前記遊技室５０の後側正面壁５０ａに、人形５１の両側に位置して押出し部材７１が配置される。これら押出し部材７１は共に同じ構成からなるので、図１０（イ）（ロ）に図２のようなセンター役物４を正面から見て左側に位置するもののみを示す。押出し部材７１は、両端部に支持孔７２を貫設した摺動枠７３の前面に支軸７４を突設し、該支軸７４の先端、すなわち前端、に人の手に模した当て片７５を固着して構成される。一方、遊技室５０の後側正面壁５０ａに支持枠７６が固着される。該支持枠７６には、後側正面壁５０ａの前後方向へ水平に貫設された軸孔７７が設けられる。また、支持枠７６の両側後面に、軸孔７７の中心軸と平行をなしかつ圧縮スプリング７８を巻装した支杆７９が後方へ突設される。そして、前記軸孔７７に支軸７４を挿通し、両支持孔７２に両支杆７９を挿通する。また、摺動枠７３の後側に、該摺動枠７３を圧縮スプリング７８の付勢に抗して前方へ押動する電動アクチュエータ（ソレノイド）８０が水平に配設されている。
【００２９】
そこで、電動アクチュエータ８０が消磁しているときは、図１０（イ）に示すように圧縮スプリング７８の付勢により摺動枠７３が後退し、支軸７４前端の当て片７５が後側正面壁５０ａの前面に寄っている。これに対し、電動アクチュエータ８０が励磁すると、図１０（ロ）に示すようにプランジャが前進して圧縮スプリング７８の付勢に抗して摺動枠７３を前方へ押す。これにより、当て片７５が前方へ突出して、傾斜棚５２の後端縁に接近する。その後端縁と当て片７４との隙間は、遊技球が通過し得ない寸法になっており、傾斜棚５２の上面を後方へ転動して突出動作する当て片７５に当る遊技球は、傾斜棚５２の上面を前側へ押し返されることになる。前記両当て片７５の前面は、真正面を向くというよりも少し中央の人形５１側を向くように傾いて設定されている。よって、該当て片７５に押し返された遊技球は、パチンコ遊技機の前面を覆う透明板保持枠（図示せず。）のガラス板（センター役物４の窓開口４９に該窓開口４９を塞ぐ前面透明壁がある場合は、該前面透明壁）に当たってポケット部８５ａに向かって流下し易いようになる。
【００３０】
本発明に係るパチンコ遊技機では、図１２に示すように前記ディスプレイ４８、電動アクチュエータ１８ａ，１８ｂ，３２，５９，６３，８０及び減速機付モータ６８が、ＣＰＵ，ＲＯＭ，ＲＡＭ，Ｉ／Ｏ等からなるマイクロコンピュータ８４に接続され、該マイクロコンピュータの指令により作動する。また、該マイクロコンピュータ８４には、前記始動入賞口７ａ，７ｂ、電動開閉始動入賞口８に入賞した遊技球を検出する球検出スイッチ８５ａ，８５ｂ，８６がそれぞれ接続されているほか、前記球検出スイッチ２７ａ，２７ｂ、球検出スイッチ３９、球検出スイッチ５７がそれぞれ接続されている。
【００３１】
本発明に係るパチンコ遊技機のセンター役物４は上記構成からなり、例えば、遊技盤１面に打ち込まれた遊技球が始動入賞口７ａ，７ｂや電動開閉始動入賞口８に入賞すると、球検出スイッチ８５ａ，８５ｂ，８６により電気的に検出されてディスプレイ４８に表示される数字、文字、図形といった図柄が変動を開始する。遊技者は、その図柄を透光領域４２を介して見ることができる。電動開閉始動入賞口８にあっては、その上部の通過ゲート８ａを遊技球が通過すると抽選が行なわれ、その抽選に当たると電動開閉始動入賞口８が１回開閉する。
【００３２】
そして、前記変動した図柄は、特定の図柄（例えば、「１１１」、「２２２」、「７７７」）で停止する。そこで、特定の図柄が「１１１」で停止した場合は、可動羽根１５ａ，１５ｂが１回開閉動作を行なう。また、特定の図柄が「２２２」で停止した場合は、可動羽根１５ａ，１５ｂが２回開閉動作を行なう。一方、特定の図柄が「７７７」に揃った場合は、遊技者に有利な特別遊技状態となり、可動羽根１５ａ，１５ｂが１ラウンドにつき所定回数開閉を繰り返し、その後にそのラウンドが所定回数継続され、一度に多くの賞球が得られる。ラウンド終了後は、元の状態に戻る。
【００３３】
前記可動羽根１５ａ，１５ｂが１回または２回開いたときに、球入口１４ａ，１４ｂに遊技球が入賞すると、該遊技球は球検出スイッチ２７ａ，２７ｂを通過して検出される。これにより、可動羽根１５ａ，１５ｂを作動させる電動アクチュエータ１８ａ，１８ｂを除いて、他の電動アクチュエータ３２，５９，６３，８０が駆動し、振分部材３１と規制部材３３、進退動型電動部材５８、停留レバー６２、押出し部材７１が設定された時間に従って適宜回数作動する。特に、押出し部材７１は、進退動型電動部材５８と同じようにセンター役物４に遊技球が入賞してから排出されるまでの間に、左右同時に複数回前方へ進出動作すなわち前進運動を繰り返す。
【００３４】
前記球入口１４ａ，１４ｂの球検出スイッチ２７ａ，２７ｂを通過して検出された遊技球は、凹面状通路２８内に入る。次に、この遊技球は、窓孔２９から後方へ流下するが、電動アクチュエータ３２が消磁して振分部材３１により球落口３８の上面が塞がれているとき、蓋片３１ａにより振り分けられていずれかのワープ通路４０ａ，４０ｂに流入し、その流下端の球出口４１ａ，４１ｂから傾斜棚５２上面に落下する。一方、電動アクチュエータ３２が励磁して振分部材３１を後方へ揺動して球落口３８の上面が開放されたとき、窓孔２９から入った遊技球がタイミング良く球落口３８に入ると、該遊技球は、電動アクチュエータ３２が励磁している間、一時的に保留される。よって、後続の遊技球は必然的に球落口３８には入賞せず、いずれかのワープ通路４０ａ，４０ｂに流入する。
【００３５】
傾斜棚５２上面を後方へ転動する遊技球は、間隔５３から人形５１の前に落下したり、該傾斜棚５２上面にて両サイドに位置し回転中の回転型電動部材６６に接触して弾かれたり、或はその透孔６９内に入りそのままいずれかの透孔６９から曲面棚７０に落下して、床面５４上に放出される。そして、該遊技球は、前方へ転動して普通入賞口５６または特別入賞口５５に入賞する。この内、遊技球が間隔５３から落下するとき、図８の鎖線に示すように電動アクチュエータ５９が励磁して進退動型電動部材５８が進出して開いたポケット部５８ａに入ると、該遊技球は通路６０を流下して人形５１の股下部の放出口６１に導かれる。このとき、同図鎖線に示すように電動アクチュエータ６３が励磁して停留レバー６２の上端が床面５４から上方へ突出しているときは、放出口６１にある遊技球はそのまま保持される。ところが、電動アクチュエータ６３が消磁して停留レバー６２の上端が床面５４から下方に位置すると、前記遊技球はまっすぐ流下して特別入賞口５５に容易に入賞する。
【００３６】
そこで、ゲームの途中であって、傾斜棚５２の上面を後方へ転動するも人形５１の位置する該傾斜棚５２の中央部に寄らない遊技球は、傾斜棚５２の後端縁から落下するとき押出し部材７１が前方へ進出すると、図１１の鎖線に示すように当て片７５に当てられ傾斜棚５２の上面を前側へ押し返され、しかも、人形５１側へ寄せられる。このようにして、その遊技球は、当て片７５により押し返される限り、傾斜棚５２上面を前後に往復動して傾斜棚５２上面に留まる時間が長くなり、進退動型電動部材５８すなわち特別入賞口５５に該遊技球が入る機会も多くなる。これにより、特別入賞口５５に入賞するか否かの期待感が高まり面白みが増し、遊技の興趣が高められる。
【００３７】
また、進退動型電動部材５８と押出し部材７１とが前進運動を複数回ずつ２度連続して繰り返し、かつ、進退動型電動部材５８及び該進退動型電動部材５８とタイミングの合った押出し部材７１の前進運動の回数を、１度目の前進運動間よりも２度目の前進運動間の方が多くなるように制御されているので、遊技に変化が持たせられスリルも味わえる。更に、進退動型電動部材５８及び押出し部材７１は、球入口１４ａ，１４ｂの可動羽根１５ａ，１５ｂの傾倒に伴い遊技球が該球入口１４ａ，１４ｂに受け入れられたときの前進運動の回数よりも、遊技球が受け入れを阻止されたときの前進運動の回数のほうが少なくなるようにその回数が制御されているので、その分無駄がなくなる。しかも、これら進退動型電動部材５８及び押出し部材７１の次の動作に速やかに移行でき、遊技進行上好適である。
【００３８】
次に、図１３に示す本発明が適用されるパチンコ遊技機のフローチャート図、及び図１４乃至図１７の本発明が適用されるパチンコ遊技機のタイミングチャート図に従ってパチンコ遊技機の作用を更に詳しく説明する。なお、図１３において、「Ｔ」は押出し部材７１であり、その進出動作回数を示す。また、「Ｃ」は進退動型電動部材１８であり、その進出動作回数を示す。
【００３９】
まず、図１３のステップａにて遊技盤１面に打ち込まれた遊技球が始動入賞口７ａ，７ｂまたは電動開閉始動入賞口８に入賞したことが検知されると、ステップｂにてディスプレイ４８に表示される数字、文字、図形といった図柄が変動を開始する。前記変動した図柄は、ステップｃにて停止時に特定の図柄、例えば、「１１１」、「２２２」、「７７７」のいずれかで停止する。
【００４０】
前記特定の図柄が、ステップｄにて「７７７」に揃った場合は、遊技者に有利な特別遊技状態いわゆる「大当り」状態となる。一方、ステップｅにて「１１１」で停止した場合は、可動羽根１５ａ，１５ｂが１回開閉動作を行なう。また、特定の図柄がステップｆにて「２２２」で停止した場合は、可動羽根１５ａ，１５ｂが２回連続して開閉動作を行なう。
【００４１】
前記ステップｇまたはステップｈにて可動羽根１５ａ，１５ｂが１回または２回開いたときに、球入口１４ａ，１４ｂに遊技球が入賞すると、該遊技球は球検出スイッチ２７ａ，２７ｂを通過して検出される。これにより、可動羽根１５ａ，１５ｂを作動させる電動アクチュエータ１８ａ，１８ｂを除いて、他の電動アクチュエータ３２，５９，６３，８０が駆動し、振分部材３１と規制部材３３、進退動型電動部材５８、停留レバー６２、押出し部材７１が設定された時間の間に適宜回数作動する。
【００４２】
この内、進退動型電動部材５８及び押出し部材７１について更に詳しく説明する。前記特定の図柄が「１１１」で停止し、可動羽根１５ａ，１５ｂが１回傾倒したとき、遊技球が球入口１４ａ，１４ｂに受け入れられると、ステップｉにてカウントされる。そして、これに基づき図１４のタイミングチャート図に示すように、押出し部材７１が４回連続して前進運動を繰り返し、その間に進退動型電動部材５８が２回前方へ進出する。更に、その後続いて、押出し部材７１が４回連続して前進運動を繰り返し、その間に進退動型電動部材５８が３回前方へ進出する。一方、可動羽根１５ａ，１５ｂが傾倒した球入口１４ａ，１４ｂのいずれにも遊技球が受け入れられなかったときは、図１５のタイミングチャート図に示すように、押出し部材７１が３回連続して前進運動を繰り返し、その間に進退動型電動部材５８が１回前方へ進出する。
【００４３】
次に、前記特定の図柄が「２２２」で停止し、可動羽根１５ａ，１５ｂが２回傾倒したとき、遊技球がその球入口１４ａ，１４ｂに受け入れられると、ステップｊにてカウントされる。そして、これに基づき図１６のタイミングチャート図に示すように、押出し部材７１が４回連続して前進運動を繰り返し、その間に進退動型電動部材５８が２回前方へ進出する。更に、その後続いて、押出し部材７１が４回連続して前進運動を繰り返し、その間に進退動型電動部材５８が３回前方へ進出する。一方、可動羽根１５ａ，１５ｂが傾倒した球入口１４ａ，１４ｂに遊技球が受け入れられなかったときは、図１７のタイミングチャート図に示すように、押出し部材７１が４回連続して前進運動を繰り返し、その間に進退動型電動部材５８が２回前方へ進出する。更に、その後続いて、押出し部材７１が３回連続して前進運動を繰り返し、その間に進退動型電動部材５８が２回前方へ進出する。
【００４４】
このように、進退動型電動部材５８は、球検出スイッチ２７ａ，２７ｂにより遊技球を検出したとき、１度目の前進運動の回数よりも２度目の前進運動の回数のほうが多くなる（１度目が前進運動を２回繰り返すのに対し、２度目が前進運動を３回繰り返す。）ようにその回数を制御するようにしている。よって、例えば、可動羽根１５ａ，１５ｂが２回傾倒し、かつ、１回目と２回目にそれぞれ遊技球が球入口１４ａ，１４ｂに受け入れられた場合、２回目に傾倒したときに受け入れられた遊技球のほうが１回目に傾倒したとき受け入れられた遊技球よりも進退動型電動部材５８に受け入れられる確率が高く、すなわち、最後の最後にその進退動型電動部材に遊技球が受け入れられる可能性が高くなる。この進退動型電動部材５８に遊技球が受け入れられると、その遊技球は特別入賞口５５に入賞し易いことから、遊技に変化が持たせられスリルも味わえる。
【００４５】
また、本発明にあっては、進退動型電動部材５８と押出し部材７１とが共に２度連続して重なるように進出運動を繰り返すが、２度とも押出し部材７１の動作のほうが進退動型電動部材５８の動作よりも先に始まり、しかもそれぞれ前進運動の回数も多い。詳しくは、進退動型電動部材５８の前進運動とタイミングを合わせ押出し部材７１がそれに先立って前進運動を初めるようになっており、傾斜棚５２を後方へ転動する遊技球の進退動型電動部材５８への受け入れられる機会が多くなる。そして、図１４、図１６のタイミングチャート図に見られるように、前記押出し部材７１の前方へ突出している時間が、１度目・２度目におけるいずれも４回の前進運動の内、最後の前進運動の動作時間（例えば、０．６秒）が他の前進運動の動作時間（例えば、０．４秒）に比べて長く設定されている。これは、仮に、最後の前進運動までもそれまでの前進運動と同じくその動作時間が短いと、傾斜棚５２の上面を後方へ転動してくる遊技球がその後端縁に達する前に、押出し部材７１前端の当て片７５が後側正面壁５０ａ側に戻ってしまうことになる。このような状態では、前記遊技球が傾斜棚５２の後端縁から勢い良く間隔５３に落下することになり、その勢いの余り前記後側正面壁５０ａ側に戻った押出し部材７１先端の当て片７５に当接して床面５４の中央よりへ導かれ、特別入賞口５５に入賞し易くなってしまう。これは、進退動型電動部材５８に遊技球が受け入れられなくとも、特別入賞口５５に入賞し易くなることを意味し、好ましいことではない。
【００４６】
よって、そのような事態の生ずるのを避けるべく、押出し部材７１の最後の進出動作時間を長く、すなわち当て片７５の前方へ進出している時間を長く設定することにより、該当て片７５によって傾斜棚５２の上面を後方へ転動する遊技球を受け止めてその勢いを消し、傾斜棚５２の後端縁から床面５４に自然に落下させるようにしている。これにより、遊技球が傾斜棚５２の後端縁から落下しかつ後側正面壁５０ａ側へ後退した押出し部材７１に当たることがほとんどなく、遊技球が後退した押出し部材７１に当たって遊技室５０の床面５４の中央に導かれ、特別入賞口５５に入賞するといった本来意図しない好ましくない事態の生ずるのを回避できる。
【００４７】
なお、本発明にあっては、球入口１４ａ，１４ｂに受け入れられた遊技球を球検出スイッチ２７ａ，２７ｂによって検出することにより、進退動型電動部材５８と共に押出し部材７１を動作させるようにしたが、これに限られるものではない。例えば、始動入賞口７ａ，７ｂ，８の球検出スイッチ２７ａ，２７ｂや球停留装置３０における球落口３８の球検出スイッチ３９により遊技球を検出することにより動作させるようにしても良く、いろいろな態様が有る。
【図面の簡単な説明】
【００４８】
【図１】本発明が適用されるパチンコ遊技機の遊技盤の正面図。
【図２】本発明に係るセンター役物の正面図。
【図３】同側面図。
【図４】（イ）は一対の可動羽根の斜視図、（ロ）は同作用図。
【図５】（イ）は球停留装置部位の斜視図、（ロ）は同作用図。
【図６】（イ）は球転動通路部位の斜視図、（ロ）同平面断面図。
【図７】遊技室部位を一部断面にして示す斜視図。
【図８】遊技室の側面断面図。
【図９】回転型電動部材の斜視図。
【図１０】（イ）は押出し部材の斜視図、（ロ）は同作用図。
【図１１】同押出し部材の作用を示す側面断面図。
【図１２】本発明が適用されるパチンコ遊技機のブロック図。
【図１３】本発明が適用されるパチンコ遊技機のフローチャート図。
【図１４】本発明が適用されるパチンコ遊技機のタイミングチャート図。
【図１５】本発明が適用されるパチンコ遊技機のタイミングチャート図。
【図１６】本発明が適用されるパチンコ遊技機のタイミングチャート図。
【図１７】本発明が適用されるパチンコ遊技機のタイミングチャート図。
【符号の説明】
【００４９】
１        遊技盤
４        センター役物
１４ａ    球入口
１４ｂ    球入口
１５ａ    可動羽根
１５ｂ    可動羽根
２７ａ    球検出スイッチ
２７ｂ    球検出スイッチ
５０      遊技室
５０ａ    後側正面壁
５１      装飾体（人形）
５２      傾斜棚
５３      間隔
５４      床面
５５      特別入賞口
５６      普通入賞口
５８      進退動型電動部材
【図１】
2009066235.tif 000003
【図２】
2009066235.tif 000004
【図３】
2009066235.tif 000005
【図４】
2009066235.tif 000006
【図５】
2009066235.tif 000007
【図６】
2009066235.tif 000008
【図７】
2009066235.tif 000009
【図８】
2009066235.tif 000010
【図９】
2009066235.tif 000011
【図１０】
2009066235.tif 000012
【図１１】
2009066235.tif 000013
【図１２】
2009066235.tif 000014
【図１３】
2009066235.tif 000015
【図１４】
2009066235.tif 000016
【図１５】
2009066235.tif 000017
【図１６】
2009066235.tif 000018
【図１７】
2009066235.tif 000019